【手続補正書】
【提出日】平成23年6月1日(2011.6.1)
【手続補正１】
【補正対象書類名】特許請求の範囲
【補正対象項目名】全文
【補正方法】変更
【補正の内容】
【特許請求の範囲】
【請求項１】
装置であって、
ピクチャのピクチャ・データを符号化する符号化器
を備え、
前記符号化器は、
符号化されたピクチャをアーチファクト解除するインループ・アーチファクト解除フィルタ
を含み、前記アーチファクト解除フィルタは、
前記符号化されたピクチャのサブサンプリングを生成するよう前記符号化されたピクチャをダウンサンプリングするダウンサンプリング・モジュールと、
前記符号化されたピクチャ及び前記サブサンプリング、並びに前記サブサンプリングの少なくとも１つから前記符号化されたピクチャのフィルタリングされた少なくとも２つのバージョンを生成するバージョン生成器と、
前記フィルタリングされた少なくとも２つのバージョンそれぞれの重みを算出する重み算出器と、
前記フィルタリングされた少なくとも２つのバージョンの適応的に重み付けされた組合せを算出する合成器と
を含む装置。
【請求項２】
請求項１記載の装置であって、前記インループ・アーチファクト解除フィルタは、信号スパース性に基づいて、変換された領域において前記符号化されたピクチャをフィルタリングする装置。
【請求項３】
請求項２記載の装置であって、前記インループ・アーチファクト解除フィルタは、前記変換された領域において少なくとも１つの閾値を使用し、前記少なくとも１つの閾値は、ユーザ選択、局所信号特性、大局信号特性、局所信号統計、大局信号統計、局所歪み、大局歪み、局所雑音、大局雑音、除去に予め指定された信号成分の統計、除去に予め指定された前記信号成分の特性、ブロック符号化モード、及び変換係数のうちの少なくとも１つに応じて局所適応性を有する装置。
【請求項４】
方法であって、
ピクチャのピクチャ・データを符号化する工程
を含み、
前記符号化する工程は、
符号化されたピクチャをインループ・アーチファクト解除フィルタリングする工程を含み、前記アーチファクト解除フィルタリングする工程は、
前記符号化されたピクチャのサブサンプリングを生成するよう前記符号化されたピクチャをダウンサンプリングする工程と、
前記符号化されたピクチャ及び前記サブサンプリング、並びに前記サブサンプリングの少なくとも１つから前記符号化されたピクチャのフィルタリングされた少なくとも２つのバージョンを生成する工程と、
前記フィルタリングされた少なくとも２つのバージョンそれぞれの重みを算出する工程と、
前記フィルタリングされた少なくとも２つのバージョンの適応的に重み付けされた組合せを算出する工程と
を含む方法。
【請求項５】
請求項４記載の方法であって、前記インループ・アーチファクト解除フィルタリングする工程は、信号スパース性に基づいて、変換された領域において前記符号化されたピクチャをフィルタリングする方法。
【請求項６】
請求項５記載の方法であって、前記インループ・アーチファクト解除フィルタリングする工程は、前記変換された領域において少なくとも１つの閾値を使用し、前記少なくとも１つの閾値は、ユーザ選択、局所信号特性、大局信号特性、局所信号統計、大局信号統計、局所歪み、大局歪み、局所雑音、大局雑音、除去に予め指定された信号成分の統計、除去に予め指定された信号成分の特性、ブロック符号化モード、及び変換係数のうちの少なくとも１つに応じて局所適応性を有する方法。
【請求項７】
装置であって、
ピクチャのピクチャ・データを復号化する復号化器を備え、
前記復号化器は、
復号化されたピクチャをアーチファクト解除するインループ・アーチファクト解除フィルタ
を含み、前記アーチファクト解除フィルタは、
前記復号化されたピクチャのサブサンプリングを生成するよう前記復号化されたピクチャをダウンサンプリングするダウンサンプリング・モジュールと、
前記復号化されたピクチャ及び前記サブサンプリング、並びに前記サブサンプリングの少なくとも１つから前記復号化されたピクチャのフィルタリングされた少なくとも２つのバージョンを生成するバージョン生成器と、
前記フィルタリングされた少なくとも２つのバージョンそれぞれの重みを算出する重み算出器と、
前記フィルタリングされた少なくとも２つのバージョンの適応的に重み付けされた組合せを算出する合成器と
を含む装置。
【請求項８】
請求項７記載の装置であって、前記インループ・アーチファクト解除フィルタは、信号スパース性に基づいて、変換された領域において、前記復号化されたピクチャをフィルタリングする装置。
【請求項９】
請求項８記載の装置であって、前記インループ・アーチファクト解除フィルタは、前記変換された領域において、少なくとも１つの閾値を使用し、前記少なくとも１つの閾値は、ユーザ選択、局所信号特性、大局信号特性、局所信号統計、大局信号統計、局所歪み、大局歪み、局所雑音、大局雑音、除去に予め指定された信号成分の統計、除去に予め指定された信号成分の特性、ブロック符号化モード、及び変換係数のうちの少なくとも１つに応じて局所適応性を有する装置。
【請求項１０】
方法であって、
ピクチャのピクチャ・データを復号化する工程
を含み、
前記復号化する工程は、
復号化されたピクチャをインループ・アーチファクト解除フィルタリングする工程を含み、前記アーチファクト解除フィルタリングする工程は、
前記復号化されたピクチャのサブサンプリングを生成するよう前記復号化されたピクチャをダウンサンプリングする工程と、
前記復号化されたピクチャ及び前記サブサンプリング、並びに前記サブサンプリングの少なくとも１つから前記復号化されたピクチャのフィルタリングされた少なくとも２つのバージョンを生成する工程と、
前記フィルタリングされた少なくとも２つのバージョンそれぞれの重みを算出する工程と、
前記フィルタリングされた少なくとも２つのバージョンの適応的に重み付けされた組合せを算出する工程と
を含む方法。
【請求項１１】
請求項１０記載の方法であって、前記インループ・アーチファクト解除フィルタリングする工程は、信号スパース性に基づいて、変換された領域において前記復号化されたピクチャをフィルタリングする方法。
【請求項１２】
請求項１１記載の方法であって、前記インループ・アーチファクト解除フィルタリングする工程は、前記変換された領域において、少なくとも１つの閾値を使用し、前記少なくとも１つの閾値は、ユーザ選択、局所信号特性、大局信号特性、局所信号統計、大局信号統計、局所歪み、大局歪み、局所雑音、大局雑音、除去に予め指定された信号成分の統計、除去に予め指定された信号成分の特性、ブロック符号化モード、及び変換係数のうちの少なくとも１つに応じて局所適応性を有する方法。
【請求項１３】
ビデオ信号データを符号化させたコンピュータ読み取り可能な媒体であって、
符号化されたピクチャ、及び前記符号化されたピクチャのサブサンプリング、並びに前記符号化されたピクチャのサブサンプリングの少なくとも１つから前記符号化されたピクチャをアーチファクト解除フィルタリングすることによって生成された、符号化されたピクチャのフィルタリングされた少なくとも２つのバージョンの適応的に重み付けされた組合せ
を備える、ビデオ信号データを符号化させたコンピュータ読み取り可能な媒体。
【請求項１４】
装置であって、
ピクチャを符号化する符号化器
を備え、
前記符号化器は、
変換された領域において、符号化されたピクチャをアーチファクト解除フィルタリングするアーチファクト解除フィルタ
を含み、変換アライン、又は残差符号化に使用される変換とのかなりのアラインはフィルタリングに使用されない装置。
【請求項１５】
方法であって、
ピクチャを符号化する工程
を含み、前記符号化する工程は、
変換された領域において、符号化されたピクチャをアーチファクト解除フィルタリングする工程を含み、変換アライン、又は残差符号化に使用される変換とのかなりのアラインはフィルタリングに使用されない方法。
【請求項１６】
装置であって、
ピクチャを復号化する復号化器
を備え、
前記復号化器は、
変換された領域において、復号化されたピクチャをアーチファクト解除フィルタリングするアーチファクト解除フィルタ
を含み、変換アライン、又は残差符号化に使用される変換とのかなりのアラインはフィルタリングに使用されない装置。
【請求項１７】
方法であって、
ピクチャを復号化する工程
を含み、前記復号化する工程は、
変換された領域において、復号化されたピクチャをアーチファクト解除フィルタリングする工程を含み、変換アライン、又は残差符号化に使用される変換とのかなりのアラインはフィルタリングに使用されない方法。